(57)【特許請求の範囲】
【請求項１】
長手通しに開設されるキー挿通部に向けて進退する第１、第２タンブラピン２の適数を備え、シリンダケース内に第１位置と、この第１位置から後方に移動した第２位置との間で移動操作可能、かつ、回転自在に挿入されるプラグを有し、
前記第１タンブラピンと第２タンブラピンとは、異なったプラグの母線上に一端を臨ませて配置されるとともに、
シリンダケースには、プラグが第１位置にあるときに第１タンブラピン位置に一致し、第２位置においては、プラグ外周に乗り上げる第１ドライバピンと、
プラグが第２位置にあるときに第２タンブラピン位置に一致し、第１位置においては、プラグ外周に乗り上げる第２ドライバピンとが配置され、
前記プラグが第１位置にあるときには、第１タンブラピン位置に合致する解錠コード形成用凹部と、プラグへの挿入時に第２タンブラピンの通過を許容する逃げ溝とを備えた第１解錠キーを使用して、
プラグが第２位置にあるときには、プラグへの挿入時に第１タンブラピンの通過を許容する逃げ溝と、第２タンブラピン位置に合致する解錠コード形成用凹部とを備えた第２解錠キーを使用して施解錠操作可能なシリンダ錠。
【請求項２】
プラグとシリンダケースのいずれか一方に形成される補助タンブラ収容凹部内に収容可能な補助タンブラを有し、
前記補助タンブラを、補助タンブラ収容凹部と第１位置における第１タンブラピン、または第２位置における第２タンブラピンとの間で移動操作して移動前後の解錠コードを変更可能な請求項１記載のシリンダ錠。
【請求項３】
シリンダケースには、第１解錠キーの挿入深さを規制するキーストッパを備えてプラグ前端を覆うプラグキャップが回転自在、かつ、前後方向移動不能に装着される請求項１または２記載のシリンダ錠。
【請求項４】
前記シリンダケースとプラグとの境界には、プラグが第２位置に移動した際にプラグの嵌合溝に弾発係止してプラグの第１位置への復帰を規制する止め輪が装着される請求項１、２または３記載のシリンダ錠。
【請求項５】
前記プラグには、第１位置において回転操作可能なセット用キープレートに突設された押し込み突部に干渉する被押圧部が設けられ、セット用キープレートの押し込み操作により第１位置から第２位置への移動操作が可能な請求項１から４のいずれかに記載のシリンダ錠。
【請求項６】
前記セット用キープレートの押し込み突部は逃げ溝の基端部に形成され、第２タンブラピンが被押圧部を兼用する請求項５記載のシリンダ錠。
【発明の詳細な説明】
【技術分野】
【０００１】
本発明はシリンダ錠に関するものである。
【背景技術】
【０００２】
解錠コードを変更可能なシリンダ錠としては、特許文献１に記載されたものが知られている。この従来例において、シリンダ錠は、プラグ内のタンブラピンとシリンダケース側のドライブピンとの間に介装される保持杆を有し、この保持杆をプラグの外周壁に形成される収容溝に移動させることにより解錠コードを変更することができる。
【特許文献１】特開２００５-７６２８６号公報
【発明の開示】
【発明が解決しようとする課題】
【０００３】
この種のシリンダ錠は、タンブラピン上に保持杆を積層した状態で使用される解錠キーと、保持杆を収容溝内に移動させた状態で使用される解錠キーとは異なるために、これを利用して、シリンダ錠の状態に対応した解錠キーを異なった錠操作者に与える運用がなされることがある。
【０００４】
例えば、家屋の新築工事に際し、コード変更前のシリンダ錠に対応する解錠キーを工事業者に与えて自由に室内への出入りを可能にしておき、工事終了後にコード変更すると、工事終了後にシリンダ錠を交換することなく工事業者の所持する解錠キーでの解錠を不可能にすることができる。
【０００５】
しかし、上述した従来例において、コード変更前後の解錠キーは、該当タンブラピンを操作するためのコード形成凹部の深さに保持杆の厚さ寸法相当分だけ差があるだけであるために、例えば、工事業者用として設定した解錠キーのコード形成凹部の深さを浅くすることによりコード変更後のシリンダ錠への操作が可能とすることを完全に防止できない。
【０００６】
本発明は、以上の欠点を解消すべくなされたものであって、コード変更前の解錠キーから、コード変更箇所を探られることを不可能とすることにより防犯性能を高めたシリンダ錠の提供を目的とする。
【課題を解決するための手段】
【０００７】
シリンダ錠のプラグ５は、第１、第２タンブラピン２、３の１または複数を備え、第１位置と、この第１位置からプラグ５の後方に移動した第２位置の２位置との間で移動操作することができる。プラグ５が挿入されるシリンダケース４には、プラグ５が第１位置にあるときに第１タンブラピン位置に一致し、当該第１タンブラピン２に対して一直線になる第１ドライバピン６と、プラグ５が第２位置にあるときに第２タンブラピン３に一致する第２ドライバピン７とがプラグ５に向けて付勢されて配置される。
【０００８】
プラグ５が第１位置で、かつ初期回転位置にあるとき、第２位置において第２タンブラピン３に一致する第２ドライバピン７は、第２タンブラピン３に一致することなく、一端がプラグ５外周に乗り上げた状態となる。この状態で、第２タンブラピン３、および第２ドライバピン７は、プラグ５とシリンダケース４の回転境界（以下、「シャーライン」）を閉塞することはない。
【０００９】
一方、上記回転位置において、第１タンブラピン２と第１ドライバピン６とは一直線になり、この状態で使用される第１解錠キー１０が挿入されない状態では、第１ドライバピン６がシャーラインを塞いで、プラグ５への回転操作を規制する。この状態から解錠コード形成用凹部８が適合する真正な第１解錠キー１０を挿入すると、第１タンブラピン２は、第１解錠キー１０により押し出され、解錠キーにより第１タンブラピン２と第１ドライバピン６との境界がシャーラインに一致し、プラグ５の回転が可能になる。
【００１０】
第１位置において、第２タンブラピン３と第２ドライバピン７とは、一直線に並ばないために、第２タンブラピン３はシリンダケース４に形成される第２ドライバピン７の挿入孔２３に進入することができない。可動域が制限された第２タンブラピン３は、プラグ５に形成されるキー挿通部１のスペース、すなわち、上記第１解錠キー１０の挿通スペースを狭める。第１解錠キー１０に形成された逃げ溝９は、第１解錠キー１０の対応断面位置を長手通しに薄肉とすることにより、第１タンブラピン２との干渉を防止し、第１解錠キー１０のキー挿通部１内での挿通を可能にする。
【００１１】
同様に、プラグ５が第２位置にあるときの施解錠操作は、第２タンブラピン３と第２ドライバピン７との境界をシャーラインに合致させる解錠コード形成用凹部８を備えた第２解錠キー１３を使用して行われる。
【００１２】
第１位置における第１タンブラピンに対応する解錠コード形成用凹部８は、第２解錠キー１３において長手通しに凹設される逃げ溝９となるために、解錠コード形成用凹部８を形成することができない。第２解錠キー１３における逃げ溝９と解錠コード形成用凹部８の重合、あるいは第１解錠キー１０における逃げ溝９と解錠コード形成用凹部８の重合を防ぐために、第１タンブラピン２と、第２タンブラピン３とは、異なった母線（プラグ５の回転中心を含む平面とプラグ５の外周との交線）上に配置される。
【００１３】
したがってこの発明において、例えば、第１位置において運用した後、第２位置での運用に切り替えた場合を想定すると、第１位置において施解錠操作の可否を決定していた第１タンブラピン２は、第２位置において可否決定要素として機能しない。この結果、第１解錠キー１０から第２解錠キー１３の解錠コード形成用凹部８を探ることが不可能となり、安全性が向上する。
【００１４】
さらに、第１位置における第１タンブラピン２、あるいは第２位置における第２タンブラピン３と補助タンブラ収容凹部１４間を移動操作可能な補助タンブラ１５を設定し、周知のコード変更機構を構成した場合には、第１位置、あるいは第２位置での解錠コードを種々に変更することができる。このため、例えば、家屋の新築工事に際し、施工業者が変わる毎に第１位置での解錠コードを変更して新たな第１解錠キー１０を与えると、前工程の業者による建物内への立ち入りを規制することができる。さらに、工事終了後には第２位置に変更して施主に第２解錠キー１３を渡すと、工事中に使用した第１解錠キー１０での施解錠操作が不可能であることは勿論、第１解錠キー１０を回収しなかった場合でも、第１解錠キー１０から第２解錠キー１３の解除コード形成用凹部８を探ることができず、安全性が保持される。
【００１５】
シリンダ錠の運用は、コード変更操作時以外は、適宜の保持手段により第１、第２位置にいずれかにプラグ５を保持する必要がある。保持手段は、例えば、シリンダケース４外周部から装着される適宜のストッパ杆をプラグ５外周に形成されたストッパ溝に嵌合させて行うことも可能であるが、第１位置側から第２位置側への移動の規制は、プラグ５前端にプラグキャップ１７を配置するだけで行うことができる。すなわち、第１位置で運用され、真正な第１解錠キー１０が挿入されない状態では、第１タンブラピン２、または第１ドライバピン６がシャーラインを閉塞するために、悪戯等によりプラグ５が押し込まれても第２位置に移動することはない。
【００１６】
これに対し、真正な第１解錠キー１０が挿入された場合には、シャーラインが開放されるために第１解錠キー１０の押し込み操作に伴ってプラグ５が第２位置側に移動する可能性がある。プラグキャップ１７は、第１解錠キー１０の挿入深さを規制することによってプラグ５への押し込み操作力の付与を規制するもので、プラグ５の回転を許容する状態でシリンダケース４に固定される。
【００１７】
プラグキャップ１７を使用して第１位置に保持することにより、保持手段の装着工数を省くことができる上に、プラグキャップ１７によりプラグ５頭部が覆われるために、プラグ５への悪戯による押し込み操作を防止し、かつ、第２位置に移動させた場合の外観変化の発生を防止できる。
【００１８】
また、シリンダケース４とプラグ５との境界に、プラグ５が第２位置に移動した際に弾発係止してプラグ５の第１位置への復帰を規制する止め輪１９を装着しておくと、第２位置への格別の保持操作を要することなくプラグ５を第２位置に停止させておくことができる。
【００１９】
第１、第２位置間の移動操作は、例えば、シリンダケース４外部に引き出されたプラグ５との連結部材を操作して行うことができるが、プラグ５に被押圧部２２を設けることにより、セット用キープレート２０の挿入操作だけで第１位置から第２位置への変更操作を行うことができる。セット用キープレート２０は、第１解錠キー１０に押し込み突部２１を設けて形成され、セット用キープレート２０をプラグ５に押し込むと、シャーラインが開かれる。この状態からセット用キープレート２０をさらに押し込むと、セット用キープレート２０の押し込み突部２１がプラグ５側の被押圧部２２に当接し、プラグ５に押し込み操作力を与えることができる。
【００２０】
プラグ５の被押圧部２２とセット用キープレート２０の押し込み突部２１は、シャーラインの開放に続いてプラグ５に押し込み操作力を付与できることができれば適宜の構成を取ることができる。一例として、被押圧部２２をプラグ５の解錠キー挿入部終端を閉塞する閉塞壁として形成し、押し込み突部２１として形成されたセット用キープレート２０の後方への延長部により押し付けるように構成することができるが、セット用キープレート２０の押し込み突部２１を逃げ溝９の基端部に形成し、第２タンブラピン３を被押圧部２２として利用すると、実質的に第１解錠キー１０に変更を加えてセット用キープレート２０とするだけで、上記機能を発揮させることができる。
【発明の効果】
【００２１】
本発明によれば、コード変更前の解錠キーをもとにコード変更箇所を探られることが不可能となるために、防犯性能を高めることができる。
【発明を実施するための最良の形態】
【００２２】
図１、２に示すように、シリンダ錠は、シリンダケース４と、シリンダケース４内に回転自在に挿入され、長手通しにキー挿通部１が開設されたプラグ５とを有する。
【００２３】
プラグ５の前端は、キー挿通部１に連通するキー導入孔１７ａを備えたプラグキャップ１７により覆われており、このプラグキャップ１７を保持するために、シリンダケース４にはガードキャップ２４が装着される。プラグキャップ１７のキー導入孔１７ａの周縁には、後述する第１解錠キー１０の挿入深さを規制するためのキーストッパ１６が形成され、プラグキャップ１７、およびガードキャップ２４は、シリンダ正面部からの破壊攻撃を防止するために、ドリル等の工具によって容易に切削加工できない程度の硬質材料により形成される。
【００２４】
プラグ５のキー挿通部１にドライバ等の工具を挿入してプラグ５に回転力を付与することができないように、プラグキャップ１７のキー導入孔１７ａは適宜の奥行き深さを有しており、さらに、プラグキャップ１７に加えられた回転破壊力のプラグ５への伝達を防止するために、プラグキャップ１７は、プラグ５に対して、すなわち、シリンダケース４に対して空転自在に保持される。また、このプラグキャップ１７は、後端がシリンダケース４に当接して後方への移動が規制される。
【００２５】
さらに、プラグ５が初期回転位置（解錠キーを挿入しない時の回転位置）にあるとき、プラグキャップ１７が妄りに空転してキー導入孔１７ａとキー挿通部１とがずれることのないように、プラグキャップ１７の回転位置は、クリックボール２５を使用した周知のクリック機構を使用して緩やかに規制される。
【００２６】
上記プラグ５は、図１に示すように、前端に形成されるストッパフランジ５ａがプラグキャップ１７に当接して前方への移動を規制される第１位置と、図７に示すように、ストッパフランジ５ａがシリンダケース４の前端に当接して後方への移動が規制される第２位置との間（間隔ｄ）を移動することができる。
【００２７】
上記プラグ５には、キー挿通部１内に一端が進退自在な第１、第２タンブラピン２、３が装着される。第１タンブラピン２は、プラグ５の長手方向に一直線状に配置される。各第１タンブラピン２、２・・・は、各中心軸Ｃ１がプラグ５の回転中心に直交する姿勢で配置される。
【００２８】
図２に示すように、第２タンブラピン３は、３列に並べられて配置される。第２タンブラピン３は、上記第１タンブラピン２のタンブラ列Ｒ１に重合しない位置であれば適宜位置に配置することが可能であるが、この実施の形態においては、３列の内の１列はプラグ５の回転軸を中心に時計回りに９０°回転した位置に、他の２列は、第１タンブラピン２のピン列Ｒ１を隔てて反対方向に配置される。後述するように、第２位置での運用を恒久的運用形態とし、第１位置での運用を暫定形態とするこの実施の形態において、第２解錠キー１３の解錠コード形成用凹部８の配置面積を大きくして鍵違いを多くするために、第１タンブラピン２は、第１、第２解錠キー１０、１３の幅狭面に向けて突出し、第２タンブラピン３は幅広面に向けて突出するように配置される。
【００２９】
一方、シリンダケース４には、第１、第２ドライバピン６、７が配置される。各ドライバピン６、７、６、７・・・は、圧縮スプリング２６によりプラグ５側に付勢され、第１ドライバピン６は、図１に示すように、プラグ５が初期回転位置にあるとき、第１タンブラピン２と一直線になる位置に設けられる。
【００３０】
これに対し、第２ドライバピン７は、図２（ｂ）に示すように、第２タンブラピン３のタンブラ列上で、かつ、図２（ａ）に示すように、第２タンブラピン３から後方、すなわち第２位置側に間隔（ｄ）ずれた位置に配置される。
【００３１】
したがって、プラグ５が初期回転位置にあって解錠キーが挿入されていないときには、図１に示すように、第１タンブラピン２は、第１ドライブピンにより押されて突出側ストローク終端位置まで押し出される。この状態で第１ドライブピンはプラグ５内に進入してシャーラインを閉塞し、プラグ５のシリンダケース４に対する回転が規制され、同時に、第２位置への移動も規制される。
【００３２】
以上のように、プラグ５が第１位置にあるときの施解錠操作は、第１解錠キー１０を使用して行われる。図３、４に示すように、第１解錠キー１０は、摘み部１０ａの基端に形成されるストッパ部１０ｂがプラグキャップ１７のキーストッパ１６に当接するまでキー挿通部１に挿入した際に、第１タンブラピン２の先端位置に合致する解錠コード形成用凹部８と、第２タンブラピン３に対応する逃げ溝９とを有する。
【００３３】
図３に示すように、解錠コード形成用凹部８は、第１ドライバピン６の付勢力に抗して第１タンブラピン２を押し上げて第１ドライバピン６の下端をプラグ５とシリンダケース４との回転境界位置まで移動させ、シャーラインを開放する。一方、逃げ溝９は、図４に示すように、第１解錠キー１０の長手通しに形成される。逃げ溝９の深さは、設定される第２タンブラピン３の内、最長の第２タンブラピン３がシリンダケース４側への移動を規制されてプラグ５内に収容された状態で、第１解錠キー１０のキー挿通部１への挿入が当該第２タンブラピン３に妨害されることなく行うことができる寸法に設定される。
【００３４】
したがって、プラグ５が第１位置にあるときに真正な第１解錠キー１０が挿入されると、第１ドライバピン６により閉塞されていたシャーラインが開放され、プラグ５を回転操作することができる。また、シャーラインの開放に伴ってプラグ５は第２位置側に移動可能な状態になるが、第１解錠キー１０は、キーストッパ１６により挿入深さが規制されているために、プラグ５に押し込み操作力が付加されることはなく、第１位置に留まったままで操作を行うことができる。
【００３５】
さらに、この実施の形態において、シリンダは、第１位置において有効なコード変更機構を有する。コード変更機構は、周知の種々の機構を採用できるが、本実施の形態では、プラグ５の外周に凹設される補助タンブラ収容凹部１４と、補助タンブラ１５とで構成される。補助タンブラ１５は、第１タンブラピン２が収容されるタンブラ装着孔５ｂ内に収容可能な径を有するディスク体であり、補助タンブラ収容凹部１４は、この補助タンブラ１５を収容可能な大きさに形成される。
【００３６】
補助タンブラ収容凹部１４は、第１位置でプラグ５を回転操作した際の第１タンブラピン２の回転経路上に配置される。
【００３７】
図５にコード変更の方法を示す。図５は、図３（ｂ）に示す状態からコード変更を行う場合を示すもので、変更操作に際し、まず、変更後に使用する第１解錠キー１０’をプラグ５に挿入する。図５（ａ）に示すように、新たな第１解錠キー１０’の解錠コード形成用凹部８は、旧第１解錠キー１０のものに比して、補助タンブラ１５の厚み寸法分だけ浅く形成されている。
【００３８】
新第１解錠キー１０’の挿入により、第１タンブラピン２は図５（ａ）に示すように、押し上げられて補助タンブラ１５と第１タンブラピン２の境界がプラグ５とシリンダケース４との回転境界に位置する。この状態から図５（ｂ）に示すように、補助タンブラ収容凹部１４が第１ドライバピン６に一致するまでプラグ５を回転操作すると、補助タンブラ１５は第１ドライバピン６により補助タンブラ収容凹部１４に押し込まれる。補助タンブラ収容凹部１４は、補助タンブラ１５の厚み寸法よりやや深く形成されているために、補助タンブラ１５はシャーラインを閉塞することなく完全に補助タンブラ収容凹部１４内に収容される。
【００３９】
次いで、図５（ｃ）に示すように、プラグ５を初期回転位置まで復帰させると、第１タンブラピン２上に積層されていた補助タンブラ１５は、補助タンブラ収容凹部１４内に移動し、第１タンブラピン２と第１ドライバピン６との境界が回転境界に位置する。この状態で、図３（ｂ）に示す旧第１解錠キー１０を挿入すると、第１ドライバピン６が補助タンブラ１５の厚み分だけプラグ５内に進入してシャーラインを閉塞するために、プラグ５への回転操作は、新第１解錠キー１０’を使用した場合にのみ許容され、コード変更が完了する。
【００４０】
図６に、セット用キープレート２０を使用して、上述した第１位置における運用から第２位置での運用に変更する方法を示す。まず、位置変更に先立って、図６（ａ）に示すように、シャーラインが開放された状態で第１タンブラピン２のキー挿通部１への突出寸法が後方に行くに従って長くなるように、第１タンブラピン２の解錠コードをセットする。第１タンブラピン２のタンブラ種の配列は、コード変更後に上述した解錠コードの組み合わせとなるように決定され、コード変更前に上記条件を充足しない場合には、第２位置での運用前にコード変更を義務付ける。
【００４１】
図６（ａ）に示すように、セット用キープレート２０は、上記第１解錠キー１０と同様に、解錠コード形成用凹部８と、逃げ溝９とを有するが、セット用キープレート２０の解錠コード形成用凹部８は、後方部分に前方より高い部分がないように隣接する他の解錠コード形成用凹部８との境界が削られてなだらかにされた形状とされる。したがって、解錠コード形成用凹部８は、上述した第１タンブラピン２の配列条件と相俟って、図６（ａ）に示すように、後方に行くに従って次第に低くなる階段状に形成される。
【００４２】
また、セット用キープレート２０は、キー挿通部１への挿入深さを規制するためのストッパ部１０ｂが省かれ、さらに、図６（ｂ）に示すように、３列の第２タンブラピン３列のうち、第２タンブラピン３の中心軸がプラグ５の回転中心に交差する列に対応する逃げ溝９の基端に押し込み突部２１が形成される。押し込み突部２１は、キー挿通部１に挿入してシャーラインが開かれた状態で、上記第２タンブラピン３列中の最前部に配列される第２タンブラピン３に当接する位置に形成される。
【００４３】
プラグ５の位置変更に際し、図６に示すように、セット用キープレート２０を挿入してシャーラインを開放し、さらにセット用キープレート２０を押し込むと、図７に示すように、押し込み突部２１により最前部の第２タンブラピン３が押されプラグ５は後方に移動する。図６に示すように、プラグ５の後端部には、シリンダケース４に形成された凹溝４ａ内で後方への移動を規制されて空転する止め輪１９がプラグ５外周を締め付けるようにして装着されており、プラグ５の後方への移動に伴って、相対的に前方に移動する。
【００４４】
プラグ５がさらに第２位置側に移動し、プラグ５全体のストッパフランジ５ａがシリンダケース４の前端面に当接して後方への移動が規制される第２位置に達すると、上記止め輪１９はプラグ５の嵌合溝１８に弾発的に落ち込む。嵌合溝１８に落ち込むことによって止め輪１９はプラグ５の軸方向への移動が規制され、同時に止め輪１９はシリンダケース４に対しては、凹溝４ａの前面壁当接して前方への移動が規制されるために、結果、プラグ５は第１位置への復帰が規制されて第２位置に留まる。
【００４５】
以上のようにしてプラグ５が第２位置にあるときの施解錠操作は、第２解錠キー１３を使用して行われる。第２解錠キー１３は、図８、９に示すように、第２位置において第２タンブラピン３に合致する解錠コード形成用凹部８と、第１タンブラピン２列に対応する逃げ溝９とを有する。図示の例で、逃げ溝９はセット用キープレート２０同様に形成されているが、第２位置において、第１タンブラピン２はコードを形成しないために、全長にわたって第１タンブラピン２のタンブラ種のうち、最長のものが通過可能な深さに形成することもできる。
【００４６】
また、第２位置において第２解錠キー１３を表裏反転しても使用することができるように、第２解錠キー１３は、解錠コード形成用凹部８、および逃げ溝９を含め、点対称断面形状に形成される。
【００４７】
以上のように形成される第２解錠キー１３を第２位置にあるプラグ５に挿入すると、解錠コード形成用凹部８によってシャーラインを閉塞していた第２ドライブピンが押し上げられてシャーラインが開放され、プラグ５への回転操作が可能になる。
【図面の簡単な説明】
【００４８】
【図１】本発明を示す図で、（ａ）は断面図、（ｂ）は（ａ）の１Ｂ-１Ｂ線断面図である。
【図２】図１の断面図で、（ａ）は２Ａ-２Ａ線断面図、（ｂ）は２Ｂ-２Ｂ線断面図である。
【図３】第１解錠キーを挿入した状態を示す図で、（ａ）は図１（ａ）に対応する図、（ｂ）は図１（ｂ）に対応する図である。
【図４】第１解錠キーを挿入した状態を示す図で、図２（ａ）に対応する図である。
【図５】コード変更を示す図で、（ａ）は新キーを挿入した状態を示す図、（ｂ）はプラグを回転させた状態を示す図、（ｃ）は初期回転位置に復帰した状態を示す図である。
【図６】プラグ位置変更操作を示す図で、（ａ）はセット用キープレートを挿入した状態を示す図で、（ｂ）は（ａ）の６Ｂ-６Ｂ線断面図である。
【図７】セット用キープレートを押し込んだ状態を示す図で、（ａ）は図６（ａ）に対応する図、（ｂ）は図６（ｂ）に対応する図である。
【図８】第２位置での運用状態を示す図で、（ａ）は図３（ａ）に対応する図、（ｂ）は図４に対応する図である。
【図９】図８の断面図で、（ａ）は図１（ｂ）に対応する図、（ｂ）は図２（ｂ）に対応する図である。
【符号の説明】
【００４９】
１    キー挿通部
２    第１タンブラ
３    第２タンブラ
４    シリンダケース
５    プラグ
６    第１ドライバピン
７    第２ドライバピン
８    解錠コード形成用凹部
９    逃げ溝
１０  第１解錠キー
１３  第２解錠キー
１４  補助タンブラ収容凹部
１５  補助タンブラ
１６  キーストッパ
１７  プラグキャップ
１８  嵌合溝
１９  止め輪
２０  セット用キープレート
２１  押し込み突部
２２  被押圧部
【図１】
0004934007.tif 000002
【図２】
0004934007.tif 000003
【図３】
0004934007.tif 000004
【図４】
0004934007.tif 000005
【図５】
0004934007.tif 000006
【図６】
0004934007.tif 000007
【図７】
0004934007.tif 000008
【図８】
0004934007.tif 000009
【図９】
0004934007.tif 000010